(57)【要約】【課題】呼び水をポンプ内に注入する作業が不要で、洗浄作業を速やかに行うことができるとともに、洗浄コストの上昇を抑制することができる循環型の循環具洗浄装置を提供する。【解決手段】循環型の循環具洗浄装置は、洗浄液１２を吐出する吐出口２０及び排出水を導入する導入口１９を備えてなるケーシング１５内に洗浄液１２を循環させるためのポンプ１４及び洗浄液１２を蓄え、導入口１９とポンプ１４の間に配されるタンク１３を備えている。また、タンク１３とポンプ１４の間にはタンク１３からの洗浄液１２を導出する導出筒７７、ポンプ１４へ洗浄液を供給する供給筒７９、及び浴槽内の洗浄液を吸水する吸水筒７８、並びに導出筒７７と吸水筒７８とを切換えて供給筒７９に接続するための切換弁を備えてなる切換継手７３を設けられている。【選択図】      図５
2005066517.tif 000002
【特許請求の範囲】
【請求項１】
循環具の吸水口に連結ホースを介し洗浄液を吐出する吐出口及び循環具の吐水口から連結ホースを介し排出水を導入する導入口を備えてなるケーシング内に洗浄液を循環させるためのポンプ及び洗浄液を蓄え、前記導入口とポンプの間に配されるタンクを備えてなる循環型の循環具洗浄装置において、
前記タンクとポンプの間にはタンクからの洗浄液を導出する導出筒、ポンプへ洗浄液を供給する供給筒、及び浴槽内の洗浄液を吸水する吸水筒、並びに導出筒と吸水筒とを切換えて供給筒に接続するための切換弁を備えてなり、切換弁の作動により、前記供給筒を前記導出筒及び吸水筒の何れか一方と連通させ、供給筒より供給される洗浄液は導出筒又は吸水筒から導入されるよう構成される切換継手を設けてなる循環型の循環具洗浄装置。
【請求項２】
循環具の吸水口に連結ホースを介し洗浄液を吐出する吐出口及び循環具の吐水口から連結ホースを介し排出水を導入する導入口を備えてなるケーシング内に洗浄液を循環させるためのポンプ及び洗浄液を蓄え、前記導入口とポンプの間に配されるタンクを備えてなる循環型の循環具洗浄装置において、
前記タンク内と導入口は、導入筒体で連通され、該導入筒体のタンク側の開口部には、フィルタが取り付けられている循環型の循環具洗浄装置。
【請求項３】
前記タンクは、ポンプの上部に配され、タンクに洗浄水を満たすことにより、ポンプの呼び水としての洗浄水がポンプ内に供給される請求項１又は請求項２に記載される循環型の循環具洗浄装置。
【発明の詳細な説明】
【技術分野】
【０００１】
本発明は、浴槽の循環具内を洗浄する際に用いられる循環型の循環具洗浄装置に関する。
【背景技術】
【０００２】
一般に、浴槽とお湯を沸かす為の熱交換器とを接続するための循環パイプ等から構成される循環具を定期的に洗浄するための洗浄装置として、特許文献１に記載されるような循環具洗浄装置が知られている。その循環具洗浄装置は、洗浄剤を送り出すためのポンプ、そのポンプの吐出口を延長するためのホース、循環具の循環口と接続する接続アダプタとしてのゴム栓等から構成されている。そして、循環具洗浄装置の吐出口及び導入口が、循環具の吸水口及び吐出口とそれぞれ連結され、洗浄液が循環することにより、又は浴槽に張った洗浄液を連結ホースを介し循環具洗浄装置の導入口から汲み上げ、洗浄液が循環具洗浄装置から所定の水圧で排出されることにより循環パイプ内が洗浄される。
【特許文献１】特公昭４８−２６８８０号公報（図面）
【発明の開示】
【発明が解決しようとする課題】
【０００３】
ところが、前記循環具洗浄装置は、ポンプを使用する前に、ポンプの空回りを防止し、吸い上げ運転をさせるために必要な呼び水をポンプ内に注入しなければならず、運転準備に時間と手間がかかるという問題があった。また、洗浄中循環口と接続アダプタの間から洗浄液が少量ずつ漏れ出して洗浄液が不足することにより、ポンプが空回りすることがあった。さらに、浴槽に洗浄液を満たして使用する場合は、洗浄液を多量に使用しなければならず洗浄コストが上昇するという問題があった。
【０００４】
本発明は、従来技術の上記問題を解決するためになされたもので、その目的は、呼び水をポンプ内に注入する作業が不要で、洗浄作業を速やかに行うことができるとともに、洗浄コストの上昇を抑制することができる循環型の循環具洗浄装置を提供することにある。
【課題を解決するための手段】
【０００５】
上記目的を達成するために、請求項１に記載の発明は、循環具の吸水口に連結ホースを介し洗浄液を吐出する吐出口及び循環具の吐水口から連結ホースを介し排出水を導入する導入口を備えてなるケーシング内に洗浄液を循環させるためのポンプ及び洗浄液を蓄え、前記導入口とポンプの間に配されるタンクを備えてなる循環型の循環具洗浄装置において、前記タンクとポンプの間にはタンクからの洗浄液を導出する導出筒、ポンプへ洗浄液を供給する供給筒、及び浴槽内の洗浄液を吸水する吸水筒、並びに導出筒と吸水筒とを切換えて供給筒に接続するための切換弁を備えてなり、切換弁の作動により、前記供給筒を前記導出筒及び吸水筒の何れか一方と連通させ、供給筒より供給される洗浄液は導出筒又は吸水筒から導入されるよう構成される切換継手を設けてなる。
【０００６】
請求項２に記載の発明は、循環具の吸水口に連結ホースを介し洗浄液を吐出する吐出口及び循環具の吐水口から連結ホースを介し排出水を導入する導入口を備えてなるケーシング内に洗浄液を循環させるためのポンプ及び洗浄液を蓄え、前記導入口とポンプの間に配されるタンクを備えてなる循環型の循環具洗浄装置において、前記タンク内と導入口は、導入筒体で連通され、該導入筒体のタンク側の開口部には、フィルタが取り付けられている。
【０００７】
請求項３に記載の発明は、請求項１又は請求項２に記載の発明において、前記タンクは、ポンプの上部に配され、タンクに洗浄水を満たすことにより、ポンプの呼び水としての洗浄水がポンプ内に供給される。
【発明の効果】
【０００８】
本発明によれば、循環具洗浄装置において、呼び水をポンプ内に注入する作業が不要で、洗浄作業を速やかに行うことができるとともに、洗浄コストの上昇を抑制することができる循環型の循環具洗浄措置を提供することができる。
【発明を実施するための最良の形態】
【０００９】
（第１の実施形態）
以下、本発明を循環型の循環具洗浄装置に具体化した第１の実施形態を図１〜図４にしたがって説明する。
【００１０】
図１〜３に示すように、循環型の循環具洗浄装置１１（以下、「洗浄装置」と略記する）は、洗浄液１２を蓄えるためのタンク１３及び洗浄液１２を送り出すためのポンプ１４を収容する縦長箱形状のケーシング１５、導入口１９、及び吐出口２０から構成されている。ケーシング１５は、上面ほぼ中央に開口部１５ａが透設されている。ケーシング１５の前板の凹設部１５ｂには、第１孔１５ｃ、第２孔１５ｄ、第３孔１５ｅ、第４孔１５ｆが上から下へ所定間隔をおいて開口され、後板の下部には支持孔１５ｇが開口されている。また、ケーシング１５の後板には、ポンプ１４を稼働させるための図示しない電源スイッチが取り付けられるとともに、図１及び図４に示すようにポンプ１４に連結されている電源コード２３が支持孔１５ｇに挿通され、その電源コード２３は後方のコンセント２４に接続されている。
【００１１】
図１に示すように、タンク１３は白色に着色された合成樹脂により成形されている。また、タンク１３の上壁には洗浄液注水口としての円筒部１８がケーシングの開口部１５ａから上方へ突出するように設けられ、該円筒部１８外周面には第１雄ねじ３３が螺刻されている。透明又は白色等の合成樹脂により有蓋円筒状に成形された蓋体３４の筒状部内周面には第１雌ねじ３５が螺設され、前記第１雄ねじ３３と螺合することにより円筒部１８に取り付けられ、タンク１３内に満たされた洗浄液１２にゴミ等が混入するのを防止する。タンク１３の前壁上部及び底壁中央には各々取付孔１３ａ及び取着孔１３ｂが形成されている。
【００１２】
円筒状をなす導入筒体３６はケーシング１５の凹設部１５ｂとタンク１３の前壁との間に挟着され、縮径されて前方へ突出し導入口１９を有する前側取付筒部３６ａが第１孔１５ｃを通って前方へ突出している。導入筒体３６の後端部から後方へ突出する後側取付筒部３９がタンク１３の取付孔１３ａを通って後方へ突出している。この後側取付筒部３９の外周面には第２雄ねじ４０が螺刻され、雌ねじ体４２が螺合されることにより、導入筒体３６がタンク１３に固定されている。導入筒体３６のタンク１３の外面に当接する部分には円環状をなす第１リング状収容溝４３が設けられ、導入筒体３６とタンク１３の前壁との間の水漏れを防止するためのゴム製のシールリング４４が嵌着されている。後側取付筒部３９の外周面には断面コの字状の第２リング状収容溝４５が設けられている。袋状をなすフィルタとしてのゴミ取り用ネット４６は、合成繊維により織り込まれることにより作成され、その開口部には円環状をなすゴム製のリング４７が縫いつけられている。同リング４７を第２リング状収容溝４５に脱着可能に嵌着させることにより、ゴミ取り用ネット４６は後側取付筒部３９の外周面に取り付けられ、洗浄中において排水中に含まれるゴミの破片等を回収する。尚、ゴミ取り用ネット４６は紐等を用い、後側取付筒部３９に取り付けてもよい。
【００１３】
ポンプ連結具５０は、円筒状に成型され、その中心にはポンプ支持孔５２が透設され、上部中央にはポンプ支持孔５２の内径よりも小さい導入口５３が貫設されている。また、ポンプ連結具５０には、タンク１３との接触面から下方に延びる複数の第４雌ねじ５５が螺刻されている。その第４雌ねじ５５に雄ねじ体５７が中心部にタンク１３の取着孔１３ｂと連通する孔を有してなる座金５９及びタンク１３の取着孔１３ｂの周囲に形成された複数の挿通孔を介し螺合されることにより、ポンプ連結具５０はタンク１３の底壁外面に取り付けられる。ポンプ連結具５０の底壁外面に当接する部分には第３リング状収容溝６０が設けられ、ポンプ連結具５０とタンク１３の底壁の間の水漏れを防止するためのゴム製のシールリング６１が嵌着されている。
【００１４】
ポンプ１４は、その上端中央及び上部側面にそれぞれ洗浄液１２を導入する導入筒４８及び洗浄液１２を吐出する吐出筒４９を備えてなり、ケーシング１５内の図示しない支持部材で支持されている。導入筒４８が、ポンプ連結具５０のポンプ支持孔５２に挿入されることにより、タンク１３はポンプ１４に支持されている。ポンプ連結具５０のポンプ支持孔５２と導入口５３との段差部分にはゴム製のシールリング５４が納められ、導入筒４８がポンプ支持孔５２に挿入されたときポンプ連結具５０の縮径部と導入筒４８との当接面からの水漏れを防止するようになっている。
【００１５】
吐出筒体６６は縮径されて第２孔１５ｄより前方へ突出する吐出口２０を有する前側取付筒部６６ａ及び下方へ延び前側取付筒部６６ａと連通している連結筒部６６ｂを有してなり、前記導入筒体３６の下方に配されている。排出筒体６８は縮径されて第４孔１５ｆより前方へ突出する前側取付筒部２１及び上面に設けられている連結筒６８ａを有してなる。切換継手３２は、ポンプ１４の吐出筒４９から第１接続ホース６２を介し洗浄液１２を導入する導入筒６３、図示しない切換弁、洗浄液１２を吐出する吐出筒６４及び吐出孔６５から構成される。吐出筒６４は吐出筒体６６の連結筒部６６ｂと第２接続ホース６７を介し連通されている。吐出孔６５は排出筒体６８の連結筒６８ａと接続されている。切換弁は第３孔１５ｅより前方へ突出する回動軸６９を備え、その回動軸６９の先端部には切換ハンドル２２が連結されている。切換弁は切換ハンドル２２の回動操作により、導入筒６３を吐出筒６４及び吐出孔６５の何れか一方に連通させ、導入筒６３より流入した洗浄液１２を吐出筒６４又は吐出孔６５から吐出させる。
【００１６】
図４に示すように、導入口１９及び吐出口２０には導入口用連結ホース１６及び吐出口用連結ホース１７の各一端がそれぞれ接続されている。導入口用連結ホース１６の他端部には循環具に取り付けられた一口循環具用接続アダプタ２５又は二口循環具用接続アダプタ２６の導入継手２７，２８が接続されている。同様に、吐出口用連結ホース１７の先端部は循環具に取り付けられた一口循環具用接続アダプタ２５又は二口循環具用接続アダプタ２６の吐出継手２９，３０が接続されている。第４孔１５ｆから突出している前側取付筒部２１には、タンク１３内の洗浄後の排水を排出するための排出ホース３１の一端が接続されている。
【００１７】
次に、洗浄装置１１の作用について説明する。
まず、洗浄装置１１の吐出口２０と一口循環具用接続アダプタ２５又は二口循環具用接続アダプタ２６の吐出継手２９，３０が吐出口用連結ホース１７を介し接続される。同様に、洗浄装置１１の導入口１９と一口循環具用接続アダプタ２５又は二口循環具用接続アダプタ２６の導入継手２７，２８が導入口用連結ホース１６により接続される。また、ポンプ１４稼働用の電源コード２３がコンセント２４に接続される。次に、タンク１３上部の円筒部１８に取り付けられた蓋体３４を回動してタンク１３から取り外し、タンク１３内に循環パイプを洗浄するための洗浄液１２を注水し、ゴミ等のタンク１３内への混入を防止するために再度蓋体３４が取り付けられる。すると洗浄液１２の水圧により、タンク１３の下部に配されたポンプ１４内に洗浄液１２が充填される。そして、切換ハンドル２２を用いて切換継手３２の切換弁を導入筒６３と吐出筒６４とが連通する向きに切換える。
【００１８】
次に、電源スイッチをオンにして、ポンプ１４を稼働させる。すると、ポンプ１４の稼働前に呼び水をポンプ１４内に充填する作業を行うことなく、タンク１３内の洗浄液１２がタンク１３の取着孔１３ｂ及びポンプ１４の導入筒４８を介しポンプ１４内を注入される。そして、ポンプ１４の吐出筒４９から吐出された洗浄液１２は、切換継手３２、吐出筒体６６、及び一口循環具用接続アダプタ２５又は二口循環具用接続アダプタ２６の吐出継手２９，３０をそれぞれ介して循環パイプ内に導入される。循環パイプ通水後の洗浄液は、一口循環具用接続アダプタ２５又は二口循環具用接続アダプタ２６の導入継手２７，２８、導入筒体３６を順に介しポンプ内に再導入される。洗浄後の洗浄液がポンプ内に再導入される際、後側取付筒部３９の外周面に取り付けられた袋状のゴミ取り用ネット４６に循環パイプ内が洗浄された際に剥がれ落ちたゴミの破片等が回収濾過される。再導入された洗浄液は、再び同様のルートを通り循環パイプ及び洗浄装置１１内を一定時間循環される。洗浄終了時の判断は円筒部１８に取り付けられた透明な蓋体３４を介し洗浄液の変色具合及びゴミ取り用ネット４６中のゴミ片の量等を目視により確認することにより行われる。
【００１９】
洗浄終了と判断した場合は、ポンプ１４を稼働状態で切換ハンドル２２を用いて切換継手３２の切換弁を導入筒６３と吐出孔６５とが連通する向きに切換える。そして、タンク１３及び循環パイプ内の洗浄後の排水はポンプ１４の吐出筒４９から切換継手３２、排出筒体６８、及び排出ホース３１を順に介しケーシング１５外へ排出される。ゴミ取り用ネット４６中のゴミ片は、ゴミ取り用ネット４６の開口部に縫いつけられているリング４７を第２リング状収容溝４５から取り外すことにより、ゴミ取り用ネット４６とともにタンク１３外へ取り出すことができる。
【００２０】
第１の実施形態の洗浄装置１１によれば、以下のような効果を得ることができる。
（１）第１の実施形態では、タンク１３とポンプ１４とを備えてなるケーシング１５においてポンプ１４の上部にタンク１３を配した。したがって、タンク１３に洗浄液１２を注水するのみで、洗浄液１２の水圧でポンプ１４内に洗浄液１２が充填されるため、ポンプ１４稼働前に呼び水をポンプ１４内に充填する作業を別に行う必要はない。また、タンク１３に洗浄液１２を満たし、ポンプ１４内に洗浄液を充填した状態で、洗浄装置１１を持ち運ぶことができ、移動するごとに呼び水をポンプ１４内に充填する作業を行う必要がない。また、洗浄液１２を浴槽内に満たして使用する洗浄装置に比べ、使用する洗浄液の量を節約することができる。
【００２１】
（２）第１の実施形態では、後側取付筒部３９の外周面に、袋状のゴミ取り用ネット４６を取り付けた。したがって、ゴミの破片等がポンプ１４、各継手等に詰まることなく、また、ゴミ取り用ネット４６内に回収されたゴミ片等を確認することにより、循環パイプの洗浄具合を判断することができる。
【００２２】
（３）第１の実施形態では、ゴミ取り用ネット４６の開口部に円環状をなすゴム製のリング４７が縫いつけられ、そのリング４７を後側取付筒部３９の第２リング状収容溝４５に脱着可能に嵌着させて、ゴミ取り用ネット４６を後側取付筒部３９の外周面に取り付けた。したがって、洗浄終了後は容易にゴミ片をゴミ取り用ネット４６ごとタンク１３から取り除くことができ、タンク１３又はポンプ１４内にゴミ片等が付着することにより汚染されることはない。
【００２３】
（４）第１の実施形態では、タンク１３及びポンプ１４を備えてなる洗浄装置１１において、タンク１３の上部に形成された洗浄液注水口としての円筒部１８に透明な化粧蓋を取り付けた。また、洗浄装置１１を用いて循環パイプを洗浄している途中において、ポンプ１４の稼働を停止することなく、タンク内に再導入された洗浄液の変色具合を透明な蓋を介し、容易に確認することができるため、洗浄終了時を的確に判断することができる。また、ゴミ等のタンク１３内への混入を防止するための蓋体３４を洗浄中の洗浄液１２の変色を確認するための窓として利用したため、洗浄液１２の変色を確認するための窓をケーシング１５上に新たに設ける必要はなく、低コストで製造することができる。
【００２４】
（５）第１の実施形態ではタンク１３の側面上部及び底面中央には導入口１９を有する導入筒体３６を固定するための取付孔１３ａ及びポンプ１４と連通する取着孔１３ｂがそれぞれ形成された。したがって、タンク１３内の洗浄液１２が均一に洗浄に利用される。
【００２５】
なお、上記第１の実施形態は以下のように変更してもよい。
・上記第１の実施形態では、ゴミ取り用ネット４６を後側取付筒部３９の外周面に取り付けたが、タンク１３の取着孔１３ｂにさらにフィルタを取り付けてもよい。かかる構成にすれば、ポンプ１４へのゴミ片等の混入をさらに防止することができる。
【００２６】
・上記第１の実施形態では、ゴミ取り用ネット４６の開口部に縫いつけられたリング４７を脱着可能に嵌着させるリング状収容溝を後側取付筒部３９の外周面に設けた。しかしながら、リング状収容溝は後側取付筒部３９の外周面に設ける必要はなく、雌ねじ体４２の外周面上に設けてもよい。
【００２７】
・上記第１の実施形態では、蓋体３４の全体を透明な合成樹脂により成型したが、蓋体３４の一部に洗浄液１２の変色を確認するための窓を設け、透明な合成樹脂又は透明なガラスを嵌め込むことにより蓋体を作成してもよい。
【００２８】
・上記第１の実施形態では、蓋体３４を透明な合成樹脂により成形したが、洗浄液の液色及びゴミ取り用ネット４６中のゴミ片等を蓋体を介して確認することができる程度の半透明な合成樹脂又はガラス等を用いて成形してもよい。
【００２９】
（第２の実施形態）
次に、本発明を浴槽循環型の循環具洗浄装置に具現化した第２の実施形態を図５及び図６にしたがって説明する。第１の実施の形態と同じ構成部には同じ符号が付してある。
【００３０】
図５及び図６に示すように、浴槽循環型の循環具洗浄装置７０（以下、「洗浄装置」と略記する）は、浴槽内に満たされている洗浄液７１を吸水する吸水口７２が備えられ、タンク１３とポンプ１４とを結ぶ配管の間に切換継手７３が設けられている。吸水筒体７４はケーシング１５の第５孔１５ｈより前方へ突出する吸水口７２を有する前側取付筒部７５及び下面に設けられ前側取付筒部７５と連通している連結孔７６を有してなる。切換継手７３は、タンク１３からの洗浄液１２を導出する導出筒７７、浴槽内の洗浄液７１を吸水する吸水筒７８、及びポンプ１４へ洗浄液１２，７１を供給する供給筒７９、並びに図示しない切換弁を備えてなる。導出筒７７はタンク１３の取着筒１３ｃと第１接続ホース８０及び接続筒体８１を介し連通され、供給筒７９はポンプ１４の導入筒４８と第２接続ホース８２を介し連通されている。また、吸水筒７８は吸水筒体７４の連結孔７６に挿通されている。
【００３１】
切換弁はケーシング１５に形成されている第６孔１５ｉより前方へ突出する回動軸８４を備え、その回動軸８４の先端部には切換ハンドル８５が連結されている。切換弁は切換ハンドル８５の回動操作により作動し、供給筒７９を導出筒７７及び吸水筒７８の何れか一方と連通させ、供給筒７９より供給される洗浄液を導出筒７７又は吸水筒７８から導入させる。ポンプ１４の吐出筒４９は第３接続ホース８３を介し吐出筒体６６の連結筒部６６ｂと連通されている。第５孔１５ｈから突出している前側取付筒部７５には、浴槽内の洗浄液７１を吸水するための吸水ホース８６の一端が接続されている。吸水ホース８６の他端は浴槽内の洗浄液７１内に配されている。
【００３２】
次に、洗浄装置７０の作用について説明する。
まず、洗浄装置７０の吐出口２０と一口循環具用接続アダプタ２５又は二口循環具用接続アダプタ２６の吐出継手２９，３０が吐出口用連結ホース１７を介し接続される。次に、切換ハンドル８５を用いて切換継手７３の切換弁を導出筒７７と供給筒７９とが連通する向きに切換え、タンク１３内にポンプ１４の呼び水としての洗浄液１２を注水する。すると、ポンプ１４の稼働前に呼び水をポンプ１４内に充填する作業を行うことなく、洗浄液１２の水圧により、タンク１３の下部に配されたポンプ１４内に呼び水としての洗浄液１２が第１接続ホース８０等を介し充填される。次に、切換ハンドル８５を用いて切換継手７３の切換弁を供給筒７９と吸水筒７８とが連通する向きに切換える。そして、浴槽に満たされた洗浄液７１の液面に吸水ホース８６の端部を接触させた状態で、電源スイッチをオンにして、ポンプ１４を稼働させる。すると、洗浄液７１は吸水ホース８６、吸水筒体７４及び切換継手７３を介し導入筒４８からポンプ内に導入される。そして、ポンプ１４の吐出筒４９から吐出された洗浄液１２は、吐出筒体６６、及び一口循環具用接続アダプタ２５又は二口循環具用接続アダプタ２６の吐出継手２９，３０をそれぞれ介して循環パイプ内に導入される。循環パイプ内の洗浄済液は、一口循環具用接続アダプタ２５又は二口循環具用接続アダプタ２６の導入継手２７，２８の開口部から吐出され、浴槽内に再導入される。また、洗浄装置７０は切換ハンドル８５を用いて切換継手７３の切換弁を導出筒７７と供給筒７９とが連通する向きに切換固定することにより、第１の実施形態の洗浄装置１１と同様の使用法で、第１の実施形態の洗浄装置１１と同様の作用を得ることができる。
【００３３】
第２の実施形態の洗浄装置７０によれば、第１の実施形態で得られる効果の他に以下の効果を得ることができる。
（１）第２の実施形態では、浴槽内に満たされている洗浄液７１を吸水する吸水口７２が備えられ、タンク１３とポンプ１４とを結ぶ配管の間に供給筒７９を導出筒７７及び吸水筒７８の何れか一方と連通させ、供給筒７９より供給される洗浄液を導出筒７７又は吸水筒７８から導入させる切換継手７３が設けられている。したがって、洗浄装置７０は、洗浄液１２をタンク１３を介して循環させる方法、及び浴槽に満たされた洗浄液７１を循環させる方法の二通りの使用方法を場合により使い分けることができる。
【００３４】
なお、上記第２の実施形態は以下のように変更してもよい。
・上記第２の実施形態において、さらに吸水ホースの先端にフィルタを取り付けてもよい。かかる構成によれば、ポンプ内にゴミ片等が進入することはない。
【００３５】
・上記第２の実施形態において、吸水口７２に接続されている吸水ホース８６の端部を循環具に取り付けられた一口循環具用接続アダプタ２５又は二口循環具用接続アダプタ２６の導入継手２７，２８に接続させて使用してもよい。かかる構成によれば、洗浄液を浴槽に満たして使用するよりも洗浄液の使用量を少なくすることができる。
【００３６】
次に、上記実施形態及び別例から把握できる技術的思想について、それらの効果とともに以下に追記する。
（ａ）前記袋状ネットの開口部には円環状をなすゴム製のリングが縫いつけられるとともに、前記導入筒体にはタンク内に突出する取付筒部が設けられ、その外周面にはリング状収容溝を形成し、前記袋状ネットはリングがリング状収容溝に脱着可能に嵌着させることにより、後側取付筒部の外周面に取り付けられる前記循環型の循環具洗浄装置。したがって、この（ａ）に記載の発明によれば、袋状ネットの開口部に取り付けられたリングのリング状収容溝への脱着操作によりゴミ片等をタンクから容易に回収することができる。
【００３７】
（ｂ）前記循環型の循環具洗浄装置において、前記タンクの上部には洗浄液を注水するための洗浄液注水口が形成され、該洗浄液注水口には、透明又は半透明の蓋体がはめ込まれている循環型の循環具洗浄装置。したがって、この（ｂ）の記載の発明によれば、タンク内に再導入された洗浄液の変色具合を透明な蓋を介し、容易に確認することができるため、洗浄終了時を的確に判断することができる。
【図面の簡単な説明】
【００３８】
【図１】第１の実施形態における循環型の循環具洗浄装置の部分断面図。
【図２】第１の実施形態におけるケーシングの平面図。
【図３】第１の実施形態におけるケーシングの側面図。
【図４】第１の実施形態における循環型の循環具洗浄装置の使用状態を示す正面図。
【図５】第２の実施形態における浴槽循環型の循環具洗浄装置の部分断面図。
【図６】第２の実施形態における浴槽循環型の循環具洗浄装置の使用状態を示す正面図。
【符号の説明】
【００３９】
１１…循環型の循環具洗浄装置、１２…洗浄液、１３…タンク、１４…ポンプ、１５…ケーシング、１６…導入口用連結ホース、１７…吐出口用連結ホース、１８…洗浄液注水口としての円筒部、１９…導入口、２０…吐出口、３４…蓋体、３６…導入筒体、３９…後側取付筒部、４６…ゴミ取り用ネット、７０…浴槽循環型の循環具洗浄装置、７３…切換継手、７７…導出筒、７８…吸水筒、７９…供給筒
【図１】
2005066517.tif 000003
【図２】
2005066517.tif 000004
【図３】
2005066517.tif 000005
【図４】
2005066517.tif 000006
【図５】
2005066517.tif 000007
【図６】
2005066517.tif 000008